(57)【要約】【課題】芝や草花のような植物でも、樹木のような植物でも植栽して壁面を緑化できるようにする。【解決手段】培養土１を収容可能な収容空間２を内部に形成してあると共に、収容空間の開口部３を形成可能な壁面４を備えてある壁体Ｂを設け、内部空間５を背面側に開口させる背面開口部６を形成してある壁面取り付け用プランタＣを設け、背面開口部が壁面に開口させた開口部に連通するように、プランタを壁面に沿って取り付け可能な取付け部７を設けてある。【選択図】        図４
2004248533.tif 000002
【特許請求の範囲】
【請求項１】
培養土を収容可能な収容空間を内部に形成してあると共に、前記収容空間の開口部を形成可能な壁面を備えてある壁体を設け、
内部空間を背面側に開口させる背面開口部を形成してある壁面取り付け用プランタを設け、
前記背面開口部が前記壁面に開口させた前記開口部に連通するように、前記プランタを前記壁面に沿って取り付け可能な取付け部を設けてある植栽緑化壁。
【請求項２】
前記壁面を、前記開口部を任意の位置において形成可能に設けてある請求項１記載の植栽緑化壁。
【請求項３】
前記取付け部を、前記プランタを前記壁面に沿う任意の位置に取り付け可能に設けてある請求項２記載の植栽緑化壁。
【請求項４】
前記収容空間を、前記壁体の前後両壁面に開口可能に設けてある１〜３のいずれか１項記載の植栽緑化壁。
【請求項５】
前記収容空間の一部を構成する収容空間部を形成してある箱状体の複数を前記壁面に沿って組み付けて、前記壁体を構成してある請求項１〜４のいずれか１項記載の植栽緑化壁。
【請求項６】
前記培養土に給水する給水パイプを前記収容空間部に装着可能な装着部を、前記箱状体に設けてある請求項５記載の植栽緑化壁。
【請求項７】
前記収容空間部に連通する上部開口を前記箱状体の上部に形成するとともに、その箱状体の外形を、底部側が前記上部開口よりも小さい下窄まり形状に形成してある請求項５又は６記載の植栽緑化壁。
【発明の詳細な説明】
【０００１】
【発明の属する技術分野】
本発明は、植栽緑化壁に関する。
【０００２】
【従来の技術】
従来の植栽緑化壁としては、コンクリート壁の壁面を緑化するために、多数の空隙ができるように線状体を絡ませて構成してある土壌保持材を、押え網で、コンクリート壁面に沿って固定し、土壌保持材の空隙に入り込ませた植物の種子と腐葉土からなる培養土を線状体に付着させて、押え網の間を通して生育した芝などの植物でコンクリート壁の壁面を緑化する技術が提案されている（例えば、特許文献１参照）  。
【０００３】
【特許文献１】
特開２０００−２３８３７９号公報
【０００４】
【発明が解決しようとする課題】
上記従来の植栽緑化壁は、根が土壌保持材に保持した土壌に張るように植物を生育させて、植物を壁面に支持させるようにしているので、植物が大きく生育してその重量が大きくなると、壁面に支持できなくなるおそれがあり、樹木のような大きく育つ植物は植栽することができず、芝や蔦類のような大きく育たない軽量の植物や一部の草花しか植栽することができない問題があり、例えば、芝や蔦類のような植物以外に、多種の草花や樹木のような植物でも、周囲の景観に合わせて植栽して緑化するようなことができない欠点がある。
本発明は上記実情に鑑みてなされたものであって、芝や蔦類以外に、草花のような植物でも、樹木のような植物でも植栽して壁面を緑化できるようにすることを目的とする。
【０００５】
【課題を解決するための手段】
請求項１記載の植栽緑化壁の特徴構成は、培養土を収容可能な収容空間を内部に形成してあると共に、前記収容空間の開口部を形成可能な壁面を備えてある壁体を設け、内部空間を背面側に開口させる背面開口部を形成してある壁面取り付け用プランタを設け、前記背面開口部が前記壁面に開口させた開口部に連通するように、前記プランタを前記壁面に沿って取り付け可能な取付け部を設けてある点にある。
【０００６】
〔作用及び効果〕
壁体の内部に形成してある収容空間に培養土を収容し、壁面取り付け用プランタを、その内部空間を背面側に開口させる背面開口部が壁面に開口させた収容空間の開口部に連通するように、壁面に沿って取り付けることができるので、プランタに植栽してある植物の根を、その生育に伴って、プランタの背面開口部と壁面の開口部とを通して、収容空間に収容してある培養土に入り込ませることができる。
従って、樹木のような大きく育つ植物でも、壁面に沿って取り付けてあるプランタに植栽しておけば、プランタと壁体とで支持されるように生育することができ、芝や蔦類以外に、多種類の草花や、樹木のような植物でも植栽して壁面を緑化できる。
【０００７】
請求項２記載の植栽緑化壁の特徴構成は、前記壁面を、前記開口部を任意の位置において形成可能に設けてある点にある。
【０００８】
〔作用及び効果〕
開口部を任意の位置において形成可能な壁面を設けてあるので、壁面の任意の位置において開口させた開口部に背面開口部が連通するように、プランタを取り付けることができ、植物を配置する上での自由度が高い。
【０００９】
請求項３記載の発明の特徴構成は、前記取付け部を、前記プランタを前記壁面に沿う任意の位置に取り付け可能に設けてある点にある。
【００１０】
〔作用及び効果〕
取付け部を、プランタを壁面に沿う任意の位置に取り付け可能に設けてあるので、プランタを壁面に沿う任意の位置に取り付けるにあたって、取付け部の位置を変更するようなことなく、プランタを容易に取り付けることができる。
【００１１】
請求項４記載の発明の特徴構成は、前記収容空間を、前記壁体の前後両壁面に開口可能に設けてある点にある。
【００１２】
〔作用及び効果〕
収容空間を壁体の前後両壁面に開口可能に設けてあるので、壁体の前後両壁面にプランタを取り付けて、各壁面を緑化することができ、庭や広場，道路などにおいて塀として使用することにより、周囲の景観を損なうことなく設置し易い。
また、壁体の前後両壁面のうち、日当たりの良い壁面側には日差しを好む植物を植栽し、日当たりの悪い壁面側には日差しが少なくても育つ植物を植栽するなど、生育条件に応じた植物を前後両壁面に植栽して緑化することができる。
【００１３】
請求項５記載の発明の特徴構成は、前記収容空間の一部を構成する収容空間部を形成してある箱状体の複数を前記壁面に沿って組み付けて、前記壁体を構成してある点にある。
【００１４】
〔作用及び効果〕
収容空間の一部を構成する収容空間部を形成してある箱状体の複数を壁面に沿って組み付けて、壁体を構成してあるので、箱状体の数や配置を調整して、所望の広さや形状の壁面を緑化することができる。
また、箱状体の複数を設置場所に運搬して組み付けることによって、壁体を設置することもでき、設置場所に応じた広さや形状の壁面を備えた壁体を設置し易い。
【００１５】
請求項６記載の発明の特徴構成は、前記培養土に給水する給水パイプを前記収容空間部に装着可能な装着部を、前記箱状体に設けてある点にある。
【００１６】
〔作用及び効果〕
培養土に給水する給水パイプを収容空間部に装着可能な装着部を、箱状体に設けてあるので、給水パイプの支持構造を別途設けることなく、給水パイプを収容空間部にコンパクトに装着できる。
【００１７】
請求項７記載の発明の特徴構成は、前記収容空間部に連通する上部開口を前記箱状体の上部に形成するとともに、その箱状体の外形を、底部側が前記上部開口よりも小さい下窄まり形状に形成してある点にある。
【００１８】
〔作用及び効果〕
同じ寸法形状の複数の箱状体を組み付けて壁体を構成する場合、組み付け前の箱状体どうしを、箱状体の上部に形成してある上部開口に箱状体の底部側が入り込むように重ねて嵩低くコンパクトに保管したり、運搬したりすることができる。
【００１９】
【発明の実施の形態】
以下に本発明の実施の形態を図面に基づいて説明する。
〔第１実施形態〕
図１〜図４は、本発明による植栽緑化壁Ａを示し、図４に示すように、培養土１を収容可能な収容空間２を内部に形成してあると共に、その収容空間２の開口部３を形成可能な壁面４を備えてある壁体Ｂを建物外壁Ｄに沿わせて設け、内部空間５を背面側に開口させる背面開口部６を形成してある壁面取り付け用の金属製プランタＣと、背面開口部６が壁面４に開口させた開口部３に連通するように、プランタＣを壁面４に沿って取り付け可能な取付け部７とを設けて、各プランタＣに樹木や芝，草花などの所望の植物Ｅを植栽してある。
【００２０】
前記壁体Ｂは、亜鉛引き鋼板製の左右の角筒状支柱８，８ａ間に、収容空間２の一部を構成する収容空間部２ａを内側に形成してある略直方体形状の箱状体９の複数を壁面４に沿うように上下に組み付けて構成し、各収容空間部２ａ内の培養土１に給水する多数の給水パイプＰ１を各支柱８内に設けた給水配管Ｐ２に接続してある。
【００２１】
前記箱状体９は、図５〜図８に示すように、前面側に開口する前面開口部１０と上側に開口する培養土１の充填用開口部１１とを備えたステンレス鋼製の箱状本体１２に、前面開口部１０を塞ぐ前面カバー１３を固定して構成してある。
【００２２】
前記箱状本体１２は、図６，図７にも示すように、左右の側壁材１４と背面壁材１５とで平面視でコの字状に形成してある周壁部材１６と、周壁部材１６の下部前面側どうしを一体に連結する帯板材１７と、帯板材１７の上端部に沿って周壁部材１６の内側を上下に区画する底板１８と、周壁部材１６の上端部どうしを連結する矩形の上部枠体１９とを一体に設けて、帯板材１７と上部枠体１９との間を前面開口部１０に構成し、上部枠体１９の内側を充填用開口部１１に構成してある。
【００２３】
そして、箱状本体１２の底板１８よりも下側の部分を、周壁部材１６と帯板材１７とが連結された矩形筒状の設置用脚部２０に構成するとともに、上部枠体１９の充填用開口部１１に沿って、外径が設置用脚部２０の内径よりも若干小さい矩形の嵌合用筒部２１を設けて、複数の箱状体９を上下に積み重ねることにより、上側に隣接する箱状体９の設置用脚部２０の内側に、下側に隣接する箱状体９の嵌合用筒部２１が嵌合して、互いに位置決め状態で組み付けることができるように構成してある。
【００２４】
前記前面カバー１３は、図８にも示すように、外形が箱状本体１２の前面形状と略同じ矩形状の外周枠体２２の内側に格子２３を一体に形成してあるアルミ鋳物製のカバー本体２４の内側に、不織布２５を全面に亘って貼り付けて構成してある。
尚、不織布２５に代えて、織布や樹脂製或いは金属製の網状体，樹脂製シート、板紙などを貼り付けても良い。
【００２５】
そして、外周枠体２２を箱状本体１２の前面側にビス止めして、前面開口部１０を前面カバー１３で塞いである箱状体９を構成し、底板１８の上側を収容空間部２ａに形成するとともに、不織布２５の所望の部位を切除することによって、収容空間部２ａの開口部３を任意の位置において形成可能な壁面４を構成してある。
【００２６】
また、設置用脚部２０と嵌合用筒部２１とに、箱状体９を上下に積み重ねて設置用脚部２０と嵌合用筒部２１とを互いに嵌合した状態で連通するパイプ挿通孔２６を貫通形成して、培養土１に給水する給水パイプＰ１を収容空間部２ａに装着可能な装着部２７を設けてある。
【００２７】
前記プランタＣは、図９に示すように、培養土１を充填する内部空間５が上部に開口する略直方体形状に形成してあり、その背面側に支柱２８で複数に仕切った略矩形の背面開口部６を形成して内部空間５を背面側に開口させ、その背面開口部６を囲むように多数の舌片２９を背面側後方に向けて突設して、図１０に示すように、各舌片２９を前面カバー１３の格子２３の間に入り込ませて、上下の舌片２８に形成した貫通孔に亘って固定用のピン３０を差し込むことにより、プランタＣを壁面４に沿う任意の位置に取り付け可能な取付け部７を構成してある。
【００２８】
上記箱状体９とプランタＣとを使用して植栽緑化壁Ａを設置する設置手順を図１１，図１２を参照しながら説明する。
図１１（イ）  に示すように、バルブＶを設けてある給水管Ｐ３を植栽緑化壁Ａの設置予定箇所に沿って埋設しておき、支柱８をアンカーボルトなどで地面に固定して、支柱８に内装してある給水配管Ｐ２を給水管Ｐ３に接続しておく。
尚、支柱８には、蓋板３１で開閉自在な配管工事用孔３２を形成してある。
【００２９】
そして、最下段の箱状体９を支柱８に密接するように設置し、前面カバー１３の不織布２５を切除して、収容空間２（収容空間部２ａ）  の開口部３を壁面４の所望の位置に開口させ、プランタＣを背面開口部６がその開口部３に連通するように取り付けて、収容空間部２ａに充填用開口部１１を通して培養土１を充填する。
【００３０】
次に、二段目の箱状体９を、その箱状体９の設置用脚部２０の内側に下側の箱状体９の嵌合用筒部２１が嵌合するように積み重ね、設置用脚部２０と嵌合用筒部２１とに形成してあるパイプ挿通孔２６に給水パイプＰ１を挿通して、配管工事用孔３２を利用して、その給水パイプＰ１を支柱８内の給水配管Ｐ２に接続する。
【００３１】
そして、二段目の箱状体９の前面カバー１３の不織布２５を切除して、収容空間２の開口部３を壁面４の所望の位置に開口させ、プランタＣを背面開口部６がその開口部３に連通するように取り付けて、収容空間部２ａに充填用開口部１１を通して培養土１を充填し、所定の段数（高さ）  になるまで、二段目の箱状体９と同様の作業を繰り返して箱状体９を積み重ね、図１２に示すように、最上段の箱状体９の充填用開口部１１は、嵌合用筒部２１に外嵌する下向き箱状の上部カバー３３で塞いでおく。
【００３２】
前記上部カバー３３にも、嵌合用筒部２１に外嵌した状態で、嵌合用筒部２１に形成してあるパイプ挿通孔２６に連通するように、パイプ挿通孔３４を貫通形成して、給水パイプＰ１を装着可能な装着部２７を設けてある。
【００３３】
次に、図１１（ロ）  に示すように、積み重ねた箱状体９の横側に近接させて、二本目の支柱８をアンカーボルトなどで地面に固定して、支柱８に内装してある給水配管Ｐ２を給水管Ｐ３に接続しておき、前述と同様に、所定の段数（高さ）  になるまで箱状体９を積み重ね、最上段の箱状体９の充填用開口部１１は上部カバー３３で塞いでおくという作業を繰り返して、所定の長さの壁体Ｂを設置し、最後に積み重ねた箱状体９の横側に近接させて、植栽緑化壁Ａの端部を形成する端部支柱８ａをアンカーボルトなどで地面に固定するとともに、最後に積み重ねた箱状体９にも固定し、各プランタＣに培養土１を充填して所望の植物Ｅを植栽する。
【００３４】
〔第２実施形態〕
図１３は、本発明による植栽緑化壁Ａの別実施形態を示し、前面側に開口する前面開口部１０に加えて、背面側に開口する背面開口部３５を備えた箱状本体１２に、前面開口部１０を塞ぐ前面カバー１３と、背面開口部３５を塞ぐ背面カバー３６とをビス止めして箱状体９を構成してある。
【００３５】
前記背面開口部３５は前面開口部１０と同様に形成してあり、背面カバー３６も前面カバー１３と同じもので構成してあり、この箱状体９の複数を、第１実施形態と同様に、上下に重ねて組み付けることにより、収容空間２を壁体４の前後両壁面４に開口可能に設け、壁体Ｂの前後両壁面４にプランタＣを取り付けて、各壁面４を緑化することができるように構成してある。
その他の構成は第１実施形態と同様である。
【００３６】
〔第３実施形態〕
図１４は、本発明による植栽緑化壁Ａの別実施形態を示し、前面側に開口する前面開口部１０と上側に開口する充填用開口部１１とを備えたステンレス鋼製の箱状本体１２に、前面開口部１０を塞ぐ不織布２５を設けて箱状体９を構成し、矩形状の外周枠体２２の内側に格子２３を一体に形成してあるアルミ鋳物製のカバー本体２４を、前面開口部１０を塞いでいる不織布２５に重なるように、箱状体９にビス止めしてある。
【００３７】
前記箱状体９は、周壁部材１６の上部前面側どうしを一体に連結する上部帯板材３７と、周壁部材１６の下部前面側どうしを一体に連結する下部帯板材１７とを設けて、充填用開口部１１を形成してある上部枠体１９を着脱自在に設けてある。
【００３８】
そして、上部枠体１９を外すことによって、収容空間部２ａに連通する上部開口３８を箱状体９の上部に形成できるように構成するとともに、箱状体９の外形を、底部側が上部開口３８よりも小さい下窄まり形状に形成して、図１５に示すように、組み付け前の箱状体９どうしを、下側の箱状体９の上部開口２８に上側の箱状体９の底部側が入り込むように重ねて、嵩低くコンパクトに保管したり、運搬したりすることができるようにしてある。
その他の構成は第１実施形態と同様である。
【００３９】
〔第４実施形態〕
図１６は、本発明による植栽緑化壁Ａの別実施形態を示し、第１実施形態で示したような箱状体９を組み付けずに、培養土１を収容可能な一連の収容空間２を壁面４に沿って内部に形成してある壁体Ｂを設け、その壁体Ｂの壁面４に収容空間２に連通する複数の開口３９を形成するとともに、それらの開口３９を各別に開閉可能なカバー４０を設けて、カバー４０を外すことによって収容空間２の開口部３を形成可能な壁面４を設けてある。
【００４０】
そして、プランタＣの左右に形成したリブ４１を壁体Ｂにビス止めして、背面開口部６が壁面４に開口させた開口部３に連通するように、プランタＣを壁面４に沿って取り付け可能な取付け部７を構成してある。
【００４１】
前記カバー４０の全部を外して収容空間２の開口部３を形成しても良いが、本実施形態では、それらのカバー４０のうちの所望のカバー４０を外すことによって収容空間２の開口部１０を形成して、背面開口部６がそれらの開口部１０に連通するように、プランタＣを壁面４に沿って取り付けてある。
その他の構成は第１実施形態と同様である。
【００４２】
〔その他の実施形態〕
１．本発明による植栽緑化壁は、建物の壁面や道路に沿って設置するものでも良く、この場合は、遮音効果を期待することができる。
２．本発明による植栽緑化壁は、塀などの仕切りとして設置するものであっても良い。
３．本発明による植栽緑化壁は、単一のプランタを、背面開口部が壁面に開口させた開口部に連通するように、壁面に沿って取り付け可能に設けてあっても良い。
４．本発明による植栽緑化壁は、人工培養土を収容空間に収容するものであっても良い。
【図面の簡単な説明】
【図１】植栽緑化壁の斜視図
【図２】植栽緑化壁の要部水平断面図
【図３】植栽緑化壁の要部正面図
【図４】植栽緑化壁の要部縦断面図
【図５】箱状体の分解斜視図
【図６】箱状体の横断面図
【図７】箱状体の縦断面図
【図８】前面カバーの水平断面図
【図９】プランタンの斜視図
【図１０】要部の斜視図
【図１１】設置方法の説明図
【図１２】設置方法の説明図
【図１３】第２実施形態を示す要部の分解斜視図
【図１４】第３実施形態を示す要部の分解斜視図
【図１５】第３実施形態の説明図
【図１６】第４実施形態の斜視図
【符号の説明】
１    培養土
２    収容空間
２ａ  収容空間部
３    開口部
４    壁面
５    内部空間
６    背面開口部
７    取付け部
９    箱状体
２７  装着部
３８  上部開口
Ｂ    壁体
Ｃ    プランタ
Ｐ１  給水パイプ
【図１】
2004248533.tif 000003
【図２】
2004248533.tif 000004
【図３】
2004248533.tif 000005
【図４】
2004248533.tif 000006
【図５】
2004248533.tif 000007
【図６】
2004248533.tif 000008
【図７】
2004248533.tif 000009
【図８】
2004248533.tif 000010
【図９】
2004248533.tif 000011
【図１０】
2004248533.tif 000012
【図１１】
2004248533.tif 000013
【図１２】
2004248533.tif 000014
【図１３】
2004248533.tif 000015
【図１４】
2004248533.tif 000016
【図１５】
2004248533.tif 000017
【図１６】
2004248533.tif 000018